【事件の表示】
　特願２００６−５０６９５８「住居全体のビデオ・ネットワーク」拒絶査定不服審判事件〔平成１６年　９月２３日国際公開、ＷＯ２００４／０８２２９１、平成１８年　９月２８日国内公表、特表２００６−５２２５４４〕について、次のとおり審決する。
【結　論】
　本件審判の請求は、成り立たない。
【理　由】
１．手続の経緯
　本願は、２００４年(平成１６年)３月８日（パリ条約による優先権主張外国庁受理２００３年３月１１日、米国）を国際出願日とする出願であって、 平成１９年３月６日付けで審査請求がなされるとともに、同日付で手続補正書が提出され、平成２１年１２月１５日付けで拒絶理由の通知がなされ、平成２２年６月２８日付で意見書が提出され、平成２２年７月１５日付けで拒絶査定がなされたものである。
　本件は、上記拒絶査定を不服として平成２２年１１月１９日付けで請求された拒絶査定不服審判である。
　
２．本願発明
　本件出願の請求項１〜２１に係る発明は、平成１９年３月６日付けの手続補正書によって補正された明細書、特許請求の範囲及び図面の記載からみて、それぞれ、その特許請求の範囲の請求項１〜２１に記載されたとおりのものと認められるところ、その請求項１に係る発明は請求項１に記載された次のとおりである。（以下「本願発明」という。）
　
「【請求項１】
　複数のチャンネルの放送信号を受信する入力端子と、
　第１のチャンネルからの第１の放送信号に対応する第１のベースバンド・ビデオ信号を供給する第１の出力端子と、
　第２のチャンネルからの第２の放送信号に対応するネットワーク・パケットを供給する第２の出力端子と、
を備える受信器であって、
　前記第２の出力端子に結合されたネットワークに前記ネットワーク・パケットが転送され、さらに、
　第３のチャンネルの第３の放送信号に対応する第１のアナログ・ビデオ信号を供給する第３の出力端子を備え、前記第１のアナログ・ビデオ信号が前記第３の出力端子に結合された転送媒体内において転送可能な第１の周波数バンドを有し、前記転送媒体がＲＧ−５９ケーブルである、前記受信器。」
　
３．引用刊行物記載の発明 
３．１．引用例１
　原査定の拒絶の理由に引用された、本願の出願の日前である平成１３年８月２日(２００１年８月２日)に頒布された国際公開第０１／５６２９７号パンフレット（以下「引用例１」という。）には、図面と共に、次の事項が記載されている。
　
BACKGROUND OF THE INVENTION　
1. Field of the Invention　
The present invention relates to video distribution and, more particularly, to a system for storing and wirelessly transporting video signals throughout the home.　
　
2. Description of the Related Art　
Home satellite feeds have become more common in recent years with the introduction of direct-to-home satellite signals that are compatible with small fixed parabolic ordishantennas, popularized by services such as DirecTV and Echostar.　
　
Difficulties arise, however, when attempting to feed satellite signals to more than one TV in the home. Prior methods require that the user install cables to any TV sets that are remote from the master set. Usually this would mean that the user would contract with an installer for such a service.
　
If the setup is changed in any way after installation, the installer might have to be called back since in general users are not skilled in making TV connections.　
　
Although satellite TV operators provide manuals that describe how their systems are to be hooked up for multiple users, even with instructions such tasks are generally beyond the capabilities of many consumers.　
　
Moreover, if satellite Internet or other Internet signals are desired to be fed to TVs in the home (e. g. by satellite or cable modems), or if interactive TV services are desired, the prior methods require a separate set of cables for providing interactive TV or Internet access signals to the different TV sets.　
　
In addition to video distribution within the home, storage of video signals also presents difficulties. Prior methods require that the user install storage devices including recording functions for each TV set. In this regard, TiVO and Replay Networks offer variants of video storage devices implemented by the use of hard disk drives. These systems typically utilize video encoding devices (e. g. Sony, Stream Machine, iCompression, I-Cube) for converting NTSC video into MPEG2 streams.　
　
However, these individual video storage devices do not support access to multiple TV sets or wireless access.　
　
Therefore, there remains a need in the art for a system for storing and transporting video signals throughout a home that overcomes the aforementioned difficulties. The present invention fulfills this need, among others.(第１頁第２行〜第２頁４行)　
　
To achieve these objects and others, the invention provides for wireless distribution of signals from direct-to-home satellite services and Internet services. According to a preferred embodiment of the present invention, antenna dishes outside the home are connected to a master set-top box (MSTB), which is connected to the main TV in the home. Inside the MSTB, the coax cables from the antenna dishes are terminated in a switch box which can be either manually or electronically controlled. The output of the switch box is connected to one or more 6-MHz TV tuners, which are used to down convert the wide band signal containing up to 175 channels into the desired 6 MHz baseband signal (s). Each desired baseband signal is then demodulated and demultiplexed into one or more MPEG2 audio/video signal program streams or Internet IP streams. The MSTB may also receive signals from a conventional Internet access means such as a telco line, xDSL, or cable modem.(第２頁第１６〜２５行)
　
DETAILED DESCRIPTION OF THE INVENTION　
FIG. 1 illustrates an exemplary implementation of the invention.　
　
As illustrated, N small Direct to Home television receiver dish antennas 102-1 to 102-N are located outside the home 104. It should be noted that in some cases, such as with the Hughes DirecTV system, there are three satellites always at 101 degrees west longitude so only one dish 102 is needed. In other cases, such as with the Echostar system, more than one fixed dish may be needed to gather signals from multiple satellites 130. It should be further apparent that the present invention is not limited to use in a home, but can be applied to other environments where the video distribution and storing objects of the invention are desired, such as, for example, apartment buildings, bars and restaurants, and offices. Moreover, although it is believed that the advantages of the invention are particularly evident with satellite TV signals, other similar wideband digital TV signals can be distributed according to the invention.(第４頁第１２〜２３行)
　
The antenna dishes each contain one or two Low Noise Blocks (LNB) 106 which are preamps for the wideband satellite signal. Two LNBs are used for one dish in case both horizontal and vertically polarized RF signals are desired. The LNBs are connected to (optional) in-line wideband amplifiers (e. g. RCA C803, not shown), which are in turn connected to the master set-top box (MSTB) 110 by coaxial cables 108, one per LNB. These cables are preferably of the large variety, e. g. RG-6. As should be apparent, N+l to 2 (N+1) cables 108 are needed.　
　
The MSTB 110 is connected to the main TV 112 in the home. As will be described in more detail below, inside the MSTB 110, the coax cables from the TV receivers 102 are terminated in a switch box that can be either manually or electronically controlled. The output of the switch box is connected to one or more 6-MHz TV tuners, which are used to down-convert the wide band signal containing up to 175 channels into the desired 6 MHz baseband signal. The desired baseband signal is then demodulated and demultiplexed into one or more MPEG2 audio/video signal program streams or IP streams. The program or IP streams are combined in a multiplexer that then aggregates all the selected program or IP streams for accessibility by the various TV sets in the home 104. The multiplexer feeds TV and Internet signals to both the local TV set 112 and to a base station radio transceiver. The transceiver sends the desired information to the other TV sets 114 via local antennas 124 and slave set top boxes (SSTBs) 116. Antennas 124 are preferably fixed directional antennas with LEDs to provide radio signal strength indication, such as the indicators found on cellular phones.　
　
The wireless interface between MSTB 110 and SSTBs 116 can be either point to point or point to multipoint. In the case of point to point, each SSTB 116 has its own dedicated signal, in both directions. The return signal is to accommodate both interactive TV and Internet information. In the case of point to multipoint, the system takes advantage of the situation wherein several TVs are tuned to the same channel, thereby conserving bandwidth for other uses such as high-definition TV or Internet traffic.　
　
One of the program streams can be fed to main TV 112, which is near the MSTB 110. MPEG2 and AC3 decoders are located either in the MSTB 110 or the TV 112, or both. The TV will typically be able to exhibit more than one simultaneous picture (e. g. Picture in Picture, array of pictures).　
　
Additional TVs 114 in the home are connected wirelessly via SSTBs 116. Each SSTB 116 contains a mobile radio transceiver and thus becomes a wireless terminal to the wireless base station transceiver in the MSTB 110. This terminal can be used for either traditional or interactive TV viewing and/or Internet access.　
　
There are two signal types between the MSTB 110 and the SSTBs 116. A downlink signal 118 contains the video transport streams requested by the SSTB 116 and an Internet downlink. An uplink signal 120 contains the control signals (for controlling the MSTB tuner, etc.) and an Internet access uplink. The aggregate data rate for the system is 100 Mb/s, which by means of the wireless protocol software, may be divided any number of useful ways. Five remote SSTBs 116 would require an aggregate bandwidth of about 100 Mb/s (assuming the downlinks are distributed between 3 Mbps and 30 Mbps), which is within the capability of the 100 Mbps aggregate bandwidth.　
　
FIG. 2 further illustrates a master set top box which can be an implementation of MSTB 110 in accordance with the principles of the invention.　
　
As shown, MSTB 110 includes RF switch 202, tuners 204, demux chains 206-1 to 206-M, mux 208, Internet access modem 210, wireless protocol converter 212, and base station radio transceiver 214. Local set interface 216 can also be included in MSTB 110 as shown in this example.　
　
Alternatively, some or all of the functionality of local set interface 216 can be incorporated within TV set 112, which may be either a combination of set top box converter plus TV display or an integrated TV receiver. (Examples of both may be found in products by Panasonic, Sony, Thomson/RCA, or Mitsubishi.) It will be obvious to one skilled in the art that the functional blocks indicated in 216 may actually be implemented by software executed in a main processor chip for the STB that controls all operations, such as a Pentium or a MIPS, or in various other combinations of one or more integrated chips and/or chipsets.　
　
The coax cables 108 from the satellite TV receivers 102-1 to 102-N input the wideband TV signals into MSTB 110 and are terminated in RF switch 202. RF switch 202 can be either manually or electronically controlled to select a receiver 102 from which to obtain TV signals. Preferably, as shown in FIG. 2, RF switch 202 is electronically controlled by control signals originating from the SSTBs 116 and local set interface 216.　
　
The selected output of the RF switch 202 is provided to one or more 6-MHz TV tuners 204, which are used to down-convert the wide band signal containing up to 175 channels into the desired 6 MHz baseband signal (i. e., the baseband signal of the desired one of the 175 channels). By providing the output of the RF switch 202 to multiple 6 MHz TV tuners 204, multiple channel viewing (including picture-in-picture) is enabled for wide-band channel inputs. The TV tuners 204 can be implemented by, for example, conventional can-type tuners from Alps or a variety of vendors, or electronic tuners from Microtune. The desired signal is indicated and controlled by the tuner control signals originating from the SSTBs 116 and local set interface 216.　
　
The 6MHz baseband signal from one of tuners 204 is then provided to an associated one of demux chains 206-1 to 206-M. After demodulation, typically based upon QPSK, and removing the Forward Error Correction (e. g., as required by DirecTV or Echostar), the resulting signal consists of MPEG2 Transport streams that in turn can contain one or more MPEG2 audio/video packetized elementary streams (i. e., one for each program) as described in the MPEG-2 standard ISO/IEC 111711: Systems (Nov 1991). On DirecTV the transport streams are 23 and 30 Mbps, depending on the satellite. Preferably, for transport streams carrying more than one program, multiple demux chains 206 are provided for each tuner. The demux chains 206 can be implemented by, for example, chip sets provided by ST, LSI Logic, Philips/VLSI, and others.(第５頁第２行〜第７頁第２０行)　
　
The decoded streams are combined in multiplexer 208 that aggregates all the selected program streams and Internet streams for access by the various TV sets in the home 104. Multiplexer 208 can be implemented by, for example, creating a new MPEG-2 transport stream which is a merged version of the MPEG-2 streams which feed such multiplexer. The multiplexer 208 feeds TV and Internet signals to both the local TV set 112 and to base station radio transceiver 214. The multiplexer 208 may optionally include conditional access (CA) encryption means if for example the MSTB 110 is implementing a CA procedure that requires CA decryption by the SSTBs 116 (e. g., for adult content or a subscription service).　
　
The transceiver 214 sends the desired information to the other TV sets 114 via local antennas 124 and slave set top boxes (SSTBs) 116. Base station transceiver 214 is preferably any product developed according to the HiperLAN and HiperLAN/2 standards for high performance radio local area networks, which standards are described in, for example, G. A. Halls,HIPERLAN : the high performance radio local area network standard,Electronics  Communication Engineering Journal, Dec. 1994, pp. 289-296 and M. Johnsson,HiperLAN/2--The Broadband Radio Transmission Technology Operating in the 5 GHz Frequency Band, (1999). Internet access modem 210 can be implemented by, for example, a two-way satellite modem such as the Satellite Express 2530XL USB (Universal Serial Bus) Satellite Receiver provided by BroadLogic. It should be apparent, however, that for other Internet communication means such as Telco POTS, Telco xDSL or cable modems, that correspondingly different modems 210 would be provided. The satellite Internet service example is provided for illustration, and those skilled in the art will be able to practice the invention using such other Internet communication means after being taught by this illustration.　
　
Signals are directed to the different receiving entities per control signals to the multiplexer 208. This can be done in two ways depending upon whether point to point or point to multipoint RF transmission is used.　
　
In the case of point to multipoint, each SSTB receiving entity sends program selection signals to the base station indicating the channel (s) desired for viewing. The collection of these various selection signals indicates to the MSTB which channels are to be outputted by the RF Switch 110 and decoded, and subsequently re-multiplexed into a new MPEGII stream for broadcast to the collection of SSTBs. Upon receipt of this new MPEGII stream, each SSTB decodes the stream based upon its original requirements and selects the programs it requires.　
　
In the case of point to point, each SSTB again sends program selection signals to the base station indicating the channel (s) desired for viewing. Each SSTB has a dedicated two-way link so separate MPEGII streams are sent to each SSTB.　
　
The wireless protocol used for both the point to multipoint and the point to point methods described above can be developed specifically for this application. For example, a Media Access Control protocol can be used to take advantage of the particular RF modulation scheme that is used. Wireless protocol converter 212 can be implemented according to, for example, 802.11, or any number of advanced wireless multiple access controller protocols such as HiperLAN/2. This block formats downlink signals containing program streams and Internet streams from mux 208 into the appropriate protocol for wireless transmission between base station transceiver 214 and the slave STBs 116. It also converts uplink signals from slave STBs 116 received by transceiver 214 into appropriate data and command signals for forwarding to Internet access modem 210 or to tuners 204, demux chains 206 and mux 208. Such command signals can include information regarding which remote receiver has selected which program stream to receive.　
　
Local set interface 216 includes MPEG-2 Transport demux 228 and MPEG/AC3 decoder 218, which can be both be implemented by, for example, chips from ST, Zoran, and LSI Logic. It also includes an IP stack 220, a graphics interface 222, a keyboard interface 224, and a remote control interface 226. Together, IP stack 220, graphics interface 222 and keyboard interface 224 preferably provide functionality akin to a web browser; alternatively, these functions can all be provided by a single-chip interactive TV device 230 such as the devices offered by TeleCruz.　
　
IP stack 220 can be implemented internal to the single-chip device 230. Its purpose is to queue the IP packets (typically http, ftp or telnet type) between the Internet user operating the main TV 112 and external networks such as web servers, etc.　
　
Graphics interface 222 can be can be implemented internal to the single-chip device 230. It formats information and pages received from the Internet via IP stack 220 into TV output signals for displaying the information and pages.　
　
Keyboard interface 224 can be can be implemented internal to the single-chip device 230. It translates keystrokes and mouse clicks generated by a user into IP packets for sending over the
Internet via IP stack 220.　
　
Remote control interface 226 can be can be implemented internal to the single-chip device 230. It translates channel selection and interactive TV commands generated by a user into control signals that can be used by tuners 204 and demux chains 206.(第８頁第１行〜第１０頁第８行)　
　
　ここで、上記記載を検討する。(なお、下線は当審で付した。)
　
　第一に、引用例１の 
The present invention relates to video distribution
throughout the home.
distribution of signals from direct-to-home satellite services
　第二に、引用例１の DETAILED DESCRIPTION OF THE INVENTION FIG. 1 illustrates an exemplary implementation of the invention. 
As illustrated, N small Direct to Home television receiver dish antennas 102-1 to 102-N are located outside the home 104.
there are three satellites
multiple satellites 130
Moreover, although it is believed that the advantages of the invention are particularly evident with satellite TV signals, other similar wideband digital TV signals can be distributed according to the invention
The antenna dishes each contain one or two Low Noise Blocks (LNB) 106 which are preamps for the wideband satellite signal.
The LNBs are connected to (optional) in-line wideband amplifiers (e. g. RCA C803, not shown), which are in turn connected to the master set-top box (MSTB) 110 by coaxial cables 108, one per LNB.
As will be described in more detail below, inside the MSTB 110, the coax cables from the TV receivers 102 are terminated in a switch box that can be either manually or electronically controlled. The output of the switch box is connected to one or more 6-MHz TV tuners, which are used to down-convert the wide band signal containing up to 175 channels into the desired 6 MHz baseband signal
The coax cables 108 from the satellite TV receivers 102-1 to 102-N input the wideband TV signals into MSTB 110 and are terminated in RF switch 202.
The selected output of the RF switch 202 is provided to one or more 6-MHz TV tuners 204, which are used to down-convert the wide band signal containing up to 175 channels into the desired 6 MHz baseband signal (i. e., the baseband signal of the desired one of the 175 channels). By providing the output of the RF switch 202 to multiple 6 MHz TV tuners 204, multiple channel viewing (including picture-in-picture) is enabled for wide-band channel inputs.
The desired signal is indicated and controlled by the tuner control signals originating from the SSTBs 116 and local set interface 216.
　第三に、下記引用例１の 
The desired baseband signal is then demodulated and demultiplexed into one or more MPEG2 audio/video signal program streams or IP streams. The program or IP streams are combined in a multiplexer that then aggregates all the selected program or IP streams for accessibility by the various TV sets in the home 104. The multiplexer feeds TV and Internet signals to both the local TV set 112 and to a base station radio transceiver.
MSTB 110 includes RF switch 202, tuners 204, demux chains 206-1 to 206-M, mux 208
The 6MHz baseband signal from one of tuners 204 is then provided to an associated one of demux chains 206-1 to 206-M. After demodulation, typically based upon QPSK, and removing the Forward Error Correction (e. g., as required by DirecTV or Echostar), the resulting signal consists of MPEG2 Transport streams that in turn can contain one or more MPEG2 audio/video packetized elementary streams
Preferably, for transport streams carrying more than one program, multiple demux chains 206 are provided for each tuner.
　第四に、引用例１の 
The decoded streams are combined in multiplexer 208 that aggregates all the selected program streams and Internet streams for access by the various TV sets in the home 104. Multiplexer 208 can be implemented by, for example, creating a new MPEG-2 transport stream which is a merged version of the MPEG-2 streams which feed such multiplexer. The multiplexer 208 feeds TV and Internet signals to both the local TV set 112 and to base station radio transceiver 214.
　第五に、
The MSTB 110 is connected to the main TV 112 in the home.
One of the program streams can be fed to main TV 112, which is near the MSTB 110. MPEG2 and AC3 decoders are located either in the MSTB 110 or the TV 112, or both. The TV will typically be able to exhibit more than one simultaneous picture (e. g. Picture in Picture, array of pictures).
Local set interface 216 includes MPEG-2 Transport demux 228 and MPEG/AC3 decoder 218, which can be both be implemented by, for example, chips from ST, Zoran, and LSI Logic.
　第六に、
The transceiver 214 sends the desired information to the other TV sets 114 via local antennas 124 and slave set top boxes (SSTBs) 116. Base station transceiver 214 is preferably any product developed according to the HiperLAN and HiperLAN/2 standards for high performance radio local area networks
　
　したがって、引用例１には以下の発明(以下「引用発明１」という。)が記載されている。
　
「同軸ケーブルで接続されたアンテナ102から供給された最大175チャネルを含む衛星放送信号を、スレーブセットトップボックス116ないしローカルセットインターフェース216を介したコントロール信号によって受信チャネルを設定出来る複数の6-MHz TVチューナー204でベースバンド信号に変換し、ベースバンド信号を復号して得たMPEG2トランスポートストリームからデマルチプレクサ206でMPEG2 パッケタイズドエレメンタリーストリームを取り出し、復号して得た MPEG2 パッケタイズドエレメンタリーストリームをマルチプレクサ208で多重化してMPEG2トランスポートストリームを作成し、ベースステーション無線トランシーバー214及びMPEG2トランスポートデマルチプレクサ228に供給し、供給されたMPEG2トランスポートストリームからMPEG2トランスポートデマルチプレクサ228で取り出したプログラムをMPEG/AC3デコーダ218で復号して近接した主TV112に供給し、ベースステーション無線トランシーバー214は、無線ローカルエリアネットワークを用いローカルアンテナ124を介して、情報を複数のスレーブセットトップボックス116に接続された複数の他のTV114に送っている、多チャンネル視聴を可能とする衛星放送信号を住宅内で配信するためのセットトップボックス」
　
３．２．引用例２
　原査定の拒絶の理由に引用された、本願の出願の日前である平成１０年８月２７日(１９９８年８月２７日)に頒布された国際公開第９８／３７６４８号パンフレット（以下「引用例２」という。）には、図面と共に、次の事項が記載されている。 
　
Field of the Invention
The present invention relates to an apparatus for the distribution of video, data and telephony and other telecommunications services within a residence.(第１頁第４〜７行)
　
III. Gateway with point-to-point in-home coaxial wiring　
FIG. 6 illustrates a gateway 200 which can be used in homes where there is point-to-point in-home coaxial cable wiring, and where the gateway can be located near the point where the coaxial wiring originates.　
　
The gateway 200 shown in FIG. 6 has an main MPEG processor 430 which is capable of decompressing multiple MPEG streams. In a preferred embodiment, main MPEG processor 430 can decompress three video streams simultaneously, and generates three S-video signals which are available on S-video bus 620. The TV modules 654 can receive any of the S-video signals from S-video bus 620, and modulate the video signal onto an appropriate channel for reception by a television which is connected to that TV module 654 via coaxial cable and TV connector 630.(第１２頁第９〜２３行)　
　
　したがって、引用例２には以下の発明(以下「引用発明２」という。)が記載されている。
　
「MPEGストリームをMPEGプロセッサ430にて復号して３つのSビデオ信号を取り出し、TVモジュール654にてそのSビデオ信号を適切なTVチャネルに変調して、TVモジュール654に接続された同軸ケーブルにてTVに送る住宅内でビデオ信号を配信する装置」
　
４．対比 
　本願発明と引用発明１を対比する。 
　 
　第一に、引用発明１の「セットトップボックス」は「衛星放送信号」を受信するものであって受信器ということができるから、引用発明１と本願発明は「受信器」である点で一致している。
　第二に、引用発明１の「セットトップボックス」は「同軸ケーブルで接続されたアンテナ102から供給された最大175チャネルを含む衛星放送信号を、スレーブセットトップボックス116ないしローカルセットインターフェース216を介したコントロール信号によって受信チャネルを設定出来る複数の6-MHz TVチューナー204でベースバンド信号に変換」するものであって、同軸ケーブルを接続する箇所にはなんらかの端子が存在するから、引用発明１と本願発明は「複数のチャンネルの放送信号を受信する入力端子」を有する点で一致している。
　第三に、引用発明１の「セットトップボックス」は「多チャンネル視聴を可能とする」ものであって「供給されたMPEG2トランスポートストリームからMPEG2トランスポートデマルチプレクサ228で取り出したプログラムをMPEG/AC3デコーダ218で復号して主TV112に供給」するものであって、セットトップボックスとTVの接続点には何らかの端子が存在することも明らかであるから、本願発明と引用発明１は「放送信号に対応する第１の」「ビデオ信号を供給する第１の出力端子」を有する点で一致している。次に、引用発明１の「セットトップボックス」の「複数の6-MHz TVチューナー204」は「ローカルセットインターフェース216を介したコントロール信号によって受信チャネルを設定出来る」ものであって「主TV112」が視聴する放送チャネルを設定出来るから、本願発明と引用発明１は供給される第１のビデオが「第１のチャンネルからの第１の」放送信号に対応するものである点で一致している。そして、この出願の明細書の「【００２１】例示的には、テレビジョン３０は、ディジタル・デバイスである。テレビジョン３０がアナログ・デバイスである場合には、デコード済のビデオ・ストリームがＮＴＳＣ信号として、また、ＰＡＬやＳＥＣＯＭなどの他のタイプの信号としてエンコードされ、アナログ信号に変換されるとよい。デコードされたビデオ信号、エンコードされたビデオ信号は、搬送波を含まないため、本明細書において使用する用語、デコードされたビデオ信号、エンコードされたビデオ信号は、ベースバンド信号と呼ばれる。」との記載からみて、本願発明の「ベースバンド・ビデオ信号」とは「搬送波を含まない」「デコードされたビデオ信号」を指すものと解釈出来るところ、引用発明１の「MPEG/AC3デコーダ218で復号して主TV112に供給」される信号も搬送波を含まないデコードされたビデオ信号であるから、本願発明と引用発明１は「ベースバンド・ビデオ信号」を出力する点で一致している。すなわち、本願発明と引用発明１は「第１のチャンネルからの第１の放送信号に対応する第１のベースバンド・ビデオ信号を供給する第１の出力端子」を有する点で一致している。
　第四に、引用発明１の「セットトップボックス」は「多チャンネル視聴を可能とする」ものであって「復号して得た MPEG2 パッケタイズドエレメンタリーストリームをマルチプレクサ208で多重化してMPEG2トランスポートストリームを作成し」「ベースステーション無線トランシーバー214は、無線ローカルエリアネットワークを用いローカルアンテナ124を介して、情報を複数のスレーブセットトップボックス116に接続された複数の他のTV114に送っている」ものであって、しかもアンテナの接続箇所には何らかの端子が存在するから、引用発明１と本願発明は「放送信号に対応する」信号「を供給する第２の出力端子」を有する点、及び、「前記第２の出力端子に結合されたネットワークに」信号「が転送され」る点で一致している。次に、引用発明１の「セットトップボックス」の「複数の6-MHz TVチューナー204」は「スレーブセットトップボックス116」「を介したコントロール信号によって受信チャネルを設定出来る」ものであって「複数のスレーブセットトップボックス116に接続された複数の他のTV114」が視聴する放送チャネルを設定出来るから、本願発明と引用発明１は供給される信号が「第２のチャンネルからの第２の」放送信号に対応するものである点で一致している。そして、無線ローカルエリアネットワーク上を流れる情報はその無線ローカルエリアネットワークのプロトコルに従ってパケット化されているから、本願発明と引用発明１の「ネットワーク」上では「ネットワーク・パケットが転送され」ている点でも一致している。すなわち、本願発明と引用発明１は「第２のチャンネルからの第２の放送信号に対応するネットワーク・パケットを供給する第２の出力端子と、を備える受信器であって、前記第２の出力端子に結合されたネットワークに前記ネットワーク・パケットが転送され」る点で一致している。
　
　したがって、本願発明と引用発明１は「複数のチャンネルの放送信号を受信する入力端子と、第１のチャンネルからの第１の放送信号に対応する第１のベースバンド・ビデオ信号を供給する第１の出力端子と、第２のチャンネルからの第２の放送信号に対応するネットワーク・パケットを供給する第２の出力端子と、を備える受信器であって、前記第２の出力端子に結合されたネットワークに前記ネットワーク・パケットが転送される受信器」という点で一致し、以下の点で相違する。
　
(あ)　本願発明は「第３のチャンネルの第３の放送信号に対応する第１のアナログ・ビデオ信号を供給する第３の出力端子を備え、前記第１のアナログ・ビデオ信号が前記第３の出力端子に結合された転送媒体内において転送可能な第１の周波数バンドを有し、前記転送媒体がＲＧ−５９ケーブルである」ものを有するのに対し、引用発明１はそれに直接対応する構成を有しない点。
　
５．当審の判断 
　上記相違点について検討する。 
　 
５．１．相違点(あ)　
　上記したように引用発明２は「MPEGストリームをMPEGプロセッサ430にて復号して３つのSビデオ信号を取り出し、TVモジュール654にてそのSビデオ信号を適切なTVチャネルに変調して、TVモジュール654に接続された同軸ケーブルにてTVに送る住宅内でビデオ信号を配信する装置」ものであって、引用発明１と同様の「住宅内でビデオ信号を配信する」という目的を有するものである。また、ＲＧ−５９ケーブルはビデオ信号の伝送に極めて良く用いられる同軸ケーブルであることは例を挙げるまでもなく極めて良く知られている。
　ここで、この出願の時点では、デジタルないしアナログのビデオ入力を有さず、いわゆるアンテナ端子からのアナログＴＶ信号のみ入力することが出来るようなテレビ受像機が多数存在しており、引用発明１を実際に住宅に設置する時に、そのようなテレビ受像機に対してもビデオ信号を配信するという課題が生じる場合があることは自明である。そして、この課題を解決するために、引用発明１に、引用発明１と同様の目的を有する引用発明２で採用しているMPEGストリームを復号して得たビデオ信号を適切なTVチャネルに変調して同軸ケーブルにて送ることを付加したこと、及び、そこで用いる同軸ケーブルとしてＲＧ−５９ケーブルを採用したことは当業者が容易になしえたことに過ぎない。
　
　そして、本願発明は、上記相違点(あ)によって、格別の作用効果を奏するものとも認められない。 
　 
６．むすび 
　以上のとおり、本願発明は、上記引用例１，２に記載された発明に基づいて当業者が容易に発明をすることができたものであるから、特許法２９条２項の規定により特許を受けることができない。 
　したがって、残る請求項２〜２１に係る発明について検討するまでもなく、本件出願は拒絶をすべきものである。 
　 
　よって、結論のとおり審決する。